(57)【要約】【課題】本発明は、箸を箸立ての挿入口に満杯状態で収納した場合でも、箸同士の接触による摩擦力が少なく、中央付近の箸上端部がほかの箸よりも突出することでつまみ代が形成されるため、箸が取り出しやすく、また、箸立て表面の隅々までスポンジ等が届き洗浄しやすい衛生的な箸立てを提供する。【解決手段】本発明は、中央に突部を設けた台座と、台座の上部に嵌合し、上方に向けて開口寸法が増加するテーパー角度を内側に形成した側筒体で箸立てを構成している。【選択図】図５
2010088534.tif 000002
【特許請求の範囲】
【請求項１】
外形が円柱状または多角柱状で、複数の箸を入れる箸挿入穴を有する箸立てにおいて、中央部に突部を設けた台座と、台座の上部に嵌合し、上方に向けて開口寸法が増加するテーパー角度を内側に形成した側筒体からなることを特徴とする箸立て。
【発明の詳細な説明】
【技術分野】
【０００１】
本発明は、複数の箸を入れる箸立てに関するものである。
【背景技術】
【０００２】
従来の箸立ては、図７に示すように、外形が円柱状の箸立て（１）の上端面（１ａ）から下方へ有底円柱状の箸挿入穴（１ｂ）が設けられ、この箸挿入穴（１ｂ）の底部に水切り用の簀張り（２）を設けている。また、底部は平面である。
【０００３】
前記箸立て（１）は、図９に示すように、箸挿入穴（１ｂ）に挿入された複数の箸（３）が、一方に片寄ったり、重なったり、乱立するという問題点があった。
【０００４】
このため、非特許文献１の請求項１に記載される、複数の箸が挿入された箸立ての中から各自が一対の箸を容易に取出すことが出来る箸立てとして、図１０に示す、外形が円柱状で、複数の箸を入れる箸挿入穴（１０ｄ）を逆円錐形状としたことを特徴とする箸立て（１０）が知られている。
【非特許文献１】実用新案登録第３１４１４６４号  公報
【発明の開示】
【発明が解決しようとする課題】
【０００５】
背景技術に記載の箸立て（１）は、図８に示すように箸（３）を満杯状態で収納した場合、箸（３）同士の隙間が無くなり、箸側面（３ｂ）同士が密着することで、隣の箸との接触により摩擦力が生じると共に、箸上端部（３ａ）がほぼ同じ高さとなり、つまみ代が無くなる為、箸を指でつまみ取り出すのが困難となる欠点があった。
【０００６】
また、図１０に示す、箸立て（１０）は、箸挿入穴（１０ｄ）のテーパー角度（Ｒ１）が４０〜８０度に形成されるため、洗浄に使用するスポンジ等が先端部（１０ｅ）に届きにくく、同部の汚れが除去できずに、不衛生になる欠点があった。本発明は、以上のような欠点を解消しようとするものである。
【課題を解決するための手段】
【０００７】
上記目的を達成するために、本発明は、中央に突部を設けた台座と、台座の上部に嵌合し、上方に向けて開口寸法が増加するテーパー角度を内側に形成した側筒体で箸立てを構成している。
【発明の効果】
【０００８】
図１および図２に示す、本発明の箸立て（４０）は、中央に突部（４２ａ）を設けた台座（４２）と、台座（４２）の上部に嵌合し、上方に向けて開口寸法が増加するテーパー角度（Ｒ２）を内側に形成した側筒体（４１）により構成されているので、図５に示すように、箸（４３）を満杯状態で収納した場合、箸側面（４３ｄ）に隙間（４３ｂ）が開く為、箸を取り出す際に、隣の箸との接触により生じる摩擦力は、図８に示すように、箸（３）を満杯状態で収納した場合に比べ、減少する。
【０００９】
また、図５に示すように、中央付近の箸が、斜面部（４２ｂ）や、平面部（４２ｃ）に乗り上げ、ほかの箸よりも突出するため、中央付近の箸上端部（４３ｃ）を指でつまんで、容易に箸を取り出すことができる。よって、前記背景技術に記載した箸立て（１）の欠点は解消される。
【００１０】
また、図１および図３に示すように、台座中央に設けた突部（４２ａ）は円錐状に形成され、台座（４２）の底面部（４２ｅ）と斜面部（４２ｂ）との斜面角度（ａ）が鈍角に形成されるため、箸立て（４０）を洗浄する際、図６に示すように、台座（４２）と側筒体（４１）を分離すれば、洗浄に使用するスポンジ等が根元部（４２ｄ）まで届き易くなり、台座（４２）表面の洗浄が隅々まで可能となる。
【００１１】
また、図６に示すように、側筒体（４１）は、円筒形であるため、スポンジ等を用いて上端面（４１ｂ）および下端面（４１ｅ）双方から側筒体（４１）表面の洗浄を行うことが容易にできる。
【００１２】
前記のように、箸立て（４０）は、隅々まで洗浄することができるので、衛生的である。よって、前記背景技術に記載した箸立て（１０）の欠点は解消される。
【発明を実施するための最良の形態】
【００１３】
以下、図面に示す実施の形態により、本発明を詳細に説明する。図１ないし図６に示す本発明の実施の形態において、箸立て（４０）は、台座（４２）を、側筒体（４１）の下部に嵌合し取り付けて使用する本発明の箸立てで、この箸立ては、台座（４２）の中央部に突部（４２ａ）を備え、上方に向けて開口寸法が増加するテーパー角度（Ｒ２）を内側に形成した側筒体（４１）を備え、上端面（４１ｂ）から下方へ底面部（４２ｅ）まで円柱状の箸挿入穴（４１ｄ）が形成されている。
【００１４】
箸挿入穴（４１ｄ）のテーパー角度（Ｒ２）は、例えば８〜１５度であり、９〜１２度が望ましい。
【００１５】
高さ（Ｈ）は、例えば３０〜６０ｍｍであり、４０〜５０ｍｍが望ましい。
【００１６】
上端直径（Ｄ）は、例えば８〜２０ｍｍであり、１０〜１５ｍｍが望ましい。
【００１７】
斜面角度（ａ）は、例えば９５〜１３５度であり、１０５〜１２５度が望ましい。
【００１８】
この箸立て（４０）の材料は、木、竹、合成樹脂、陶磁器またはアルミニュウム、ステンレス等の食品安全衛生に適する金属材料で形成されている。
【００１９】
なお、側筒体（４１）の外周部（４１ａ）および台座（４２）の外周部（４２ｄ）は、円柱状でなく、四角柱、五角柱、六角柱または八角柱等の多角柱状でも良い。
【００２０】
上述の様に構成された箸立て（４０）の使用方法を、図１ないし図６に基づき説明する。
【００２１】
本箸立てを使用するときは、複数の箸（４３）を箸挿入口（４１ｃ）から箸挿入穴（４１ｄ）へ満遍なく、満杯状態になるまで入れた後、突出した中央付近の箸上端部（４３ｃ）を指でつまみ、箸を引き上げ、取り出す。
【００２２】
このとき、箸側面（４３ｄ）に隙間（４３ｂ）が開くことで、特定の箸を取り出す際、隣の箸との接触により生じる摩擦力が最小限に抑えられるとともに、中央付近の箸が、斜面部（４２ｂ）や、平面部（４２ｃ）に乗り上げ、中央付近の箸上端部（４３ｃ）が、ほかの箸よりも突出するため、容易に箸を取り出すことができる。
【００２３】
前述の箸取り出し操作により、取り出した箸付近の箸側面（４３ｄ）の隙間（４３ｂ）が更に広くなるため、箸上端部（４３ａ）が突出していなくても、箸上端部（４３ａ）を、指でつまむことが可能となる。
【００２４】
よって、２本目以降の箸も、箸上端部（４３ａ）を指でつまんで箸を引き上げ、取り出すことが可能である。
【００２５】
次に、本箸立てを洗浄するときは、図６に示すとおり、側筒体（４１）と台座（４２）を分離する。
【００２６】
台座（４２）単体で洗浄することで、洗浄に使用するスポンジ等が根元部（４２ｄ）まで届き易くなり、台座（４２）表面の洗浄が隅々まで可能となる。
【００２７】
また、側筒体（４１）は、円筒形であり、単体の状態で洗浄することで、スポンジ等を用いて上端面（４１ｂ）および下端面（４１ｅ）双方から側筒体（４１）表面の洗浄を行うことが可能である。
【００２８】
前述のように、箸立て（４０）の隅々まで洗浄することができるので、衛生的である。
【図面の簡単な説明】
【００２９】
【図１】本発明の縦断面図（１／２）
【図２】本発明の縦断面図（２／２）
【図３】本発明の平面図
【図４】本発明の底面図
【図５】本発明の使用状態を示す縦断面図
【図６】本発明の斜視図
【図７】背景技術に記載される箸立て（１）の縦断面図
【図８】背景技術に記載される箸立て（１）の使用状態を示す縦断面図その１
【図９】背景技術に記載される箸立て（１）の使用状態を示す縦断面図その２
【図１０】背景技術に記載される箸立て（１０）の縦断面図
【図１１】背景技術に記載される箸立て（１０）の平面図
【図１２】背景技術に記載される箸立て（１０）の使用状態を示す縦断面図
【図１３】背景技術に記載される箸立て（１０）の使用状態を示す平面図
【符号の説明】
【００３０】
１      箸立て                   
１ａ    上端面                   
１ｂ    箸挿入穴                         
２      簀張り                           
３      箸                       
３ａ    箸上端部                         
３ｂ    箸側面                   
１０    箸立て                   
１０ａ  外周部                   
１０ｂ  上端面                   
１０ｃ  箸挿入口                 
１０ｄ  箸挿入穴                 
１０ｅ  先端部                   
Ｒ１    テーパー角度             
ａ      斜面角度                 
３０    箸                       
３０ａ  箸上端部                 
４０    箸立て                   
４１    側筒体                   
４１ａ  外周部                   
４１ｂ  上端面                   
４１ｃ  箸挿入口                 
４１ｄ  箸挿入穴                 
４１ｅ  下端面                   
４２    台座                     
４２ａ  突部                     
４２ｂ  斜面部                   
４２ｃ  平面部                   
４２ｄ  根元部                   
４２ｅ  底面部                   
４２ｄ  外周部                   
Ｒ２    テーパー角度             
Ｈ      高さ                     
Ｄ      上端直径                 
４３    箸                       
４３ａ  箸上端部                 
４３ｂ  隙間                     
４３ｃ  中央付近の箸上端部       
４３ｄ  箸側面                   
【図１】
2010088534.tif 000003
【図２】
2010088534.tif 000004
【図３】
2010088534.tif 000005
【図４】
2010088534.tif 000006
【図５】
2010088534.tif 000007
【図６】
2010088534.tif 000008
【図７】
2010088534.tif 000009
【図８】
2010088534.tif 000010
【図９】
2010088534.tif 000011
【図１０】
2010088534.tif 000012
【図１１】
2010088534.tif 000013
【図１２】
2010088534.tif 000014
【図１３】
2010088534.tif 000015